(57)【要約】【課題】通信に使用する伝送路を介して所望ノードの選択的なウェイクアップを実現すると共に、スリープモードでの消費電力をより低減する技術を提供する。【解決手段】給電制御部（２１）は、ウェイクアップモードの時に、通信実行部から前記スリープ指示を受けると、第１給電出力をオフすると共に第３給電出力をオンすることで、動作モードをスリープモードに遷移させる。スリープモードの時に、信号検知部（２２）にて信号が検知されると、第２給電出力をオンすることでウェイクアップ信号受信・処理部（２３）を起動させる。起動したウェイクアップ信号受信・処理部により要ウェイクアップであると判断されると、第１給電出力をオンすると共に、第２給電出力及び第３給電出力をオフすることで、動作モードをウェイクアップモードに遷移させる。【選択図】図２
2019106724.tif 000002
【特許請求の範囲】
【請求項１】
伝送路（５）と共にネットワークシステムを構成し、機能を制限しない動作モードであるウェイクアップモードと、機能を制限して低消費電力状態にする動作モードであるスリープモードとを選択的に実行するネットワーク制御装置（１）であって、
前記ウェイクアップモードの時に、予め設定された伝送速度にて前記伝送路を介した通信を実行する通信実行部（１３，１４）と、
前記伝送路と前記通信実行部との間に接続され、前記通信実行部が送受信する信号から前記伝送速度より低い低周波成分を減衰させる低周波減衰部（１２）と、
前記低周波減衰部の前記伝送路側に接続され、前記低周波減衰部での減衰対象となる低周波数帯を使用して、前記動作モードをスリープモードからウェイクアップモードに遷移させるウェイクアップ信号を送受信するウェイクアップ制御部（１６）と、
前記伝送路と前記ウェイクアップ制御部との間に接続され、前記低周波減衰部で減衰される低周波数帯の信号のうち、少なくとも、前記ウェイクアップ信号の送受信に使用される周波数の信号を通過させるウェイクアップ信号フィルタ部（１５）と、
を備え、
前記ウェイクアップ制御部は、
前記ウェイクアップ信号フィルタ部を介して供給される信号が、予め設定された所定レベル以上変化した場合に、信号を検知したものとして信号検知結果（ＳＤ）を出力する信号検知部（２２）と、
前記ウェイクアップ信号フィルタ部を介して前記伝送路からウェイクアップ信号を受信すると、要ウェイクアップであることを表す判定結果（ＳＲ）を出力するウェイクアップ信号受信・処理部（２３）と、
前記通信実行部からの指示に従って、前記ウェイクアップ信号を、前記ウェイクアップ信号フィルタ部を介して前記伝送路に送信するウェイクアップ信号送信部（２４）と、
前記通信実行部からのスリープ指示（ＣＳ）、前記信号検知部からの信号検知結果、及び前記ウェイクアップ信号受信・処理部からの判定結果に従って、前記通信実行部及び前記ウェイクアップ信号送信部への第１給電出力（ＰＳ１）、前記ウェイクアップ信号受信・処理部への第２給電出力（ＰＳ２）及び前記信号検知部への第３給電出力（ＰＳ３）を制御する給電制御部（２１）と、を含み、
前記給電制御部は、前記ウェイクアップモードの時に、前記通信実行部から前記スリープ指示を受けると、前記第１給電出力をオフすると共に前記第３給電出力をオンすることで、動作モードを前記スリープモードに遷移させ、前記スリープモードの時に、前記信号検知部にて信号が検知されると、前記第２給電出力をオンすることで前記ウェイクアップ信号受信・処理部を起動させ、起動した前記ウェイクアップ信号受信・処理部により要ウェイクアップであると判断されると、前記第１給電出力をオンすると共に、前記第２給電出力及び第３給電出力をオフすることで、動作モードを前記ウェイクアップモードに遷移させる
ことを特徴とするネットワーク制御装置。
【請求項２】
前記ウェイクアップ信号受信・処理部は、
自装置を識別するための自ノード識別情報を記憶する識別情報記憶部（２７１）と、
受信した前記ウェイクアップ信号に含まれるウェイクアップの対象を識別するための対象ノード識別情報と前記識別情報記憶部に記憶された自ノード識別情報とを照合して、ウェイクアップの要否を判定する識別情報照合部（２７２〜２７８）と、
を備え、
前記ウェイクアップ信号受信・処理部は、前記自ノード識別情報が設定された前記ウェイクアップ信号を受信すると、要ウェイクアップであることを表す判定結果（ＳＲ）を出力すること
を特徴とする請求項１に記載のネットワーク制御装置。
【請求項３】
前記給電制御部は、前記ウェイクアップ信号受信・処理部が起動した後、前記ウェイクアップ信号受信・処理部にて要ウェイクアップと判断されることなく、前記信号検知部にて信号が検知されてから所定時間が経過すると、前記第２給電出力をオフすることを特徴とする請求項１または請求項２に記載のネットワーク制御装置。
【発明の詳細な説明】
【技術分野】
【０００１】
本発明は、ネットワークを構成するノードを個別にウェイクアップする技術に関する。
【背景技術】
【０００２】
従来、通信システムにおいて、所定のスリープ条件が成立すると、各ノードの機能を制限したスリープモードに遷移して、システム全体の消費電力を低減する技術が知られている。
【０００３】
この種のシステムを構成する各ノードは、スリープモードの時には、ドライバや通信を制御するマイクロコンピュータ（マイコン）への給電を停止すると共に、伝送路の状態を監視する。そして、伝送路上に信号が送出されたことを検出すると、ドライバやマイコンへの給電を再開することでウェイクアップモードに遷移する（特許文献１参照）。
【先行技術文献】
【特許文献】
【０００４】
【特許文献１】特開２０１４−１０４９３７号公報
【発明の概要】
【発明が解決しようとする課題】
【０００５】
ところで、従来技術では、スリープモードの時にいずれかのノードが伝送路に信号を出力すると、全てのノードがウェイクアップモードに遷移してしまう。このため、必要なノードだけを選択的にウェイクアップして、それらの間だけで通信を実行するという使い方が不能であるという問題があった。また、一部のノードだけが関わる通信を実行する場合でも、全てのノードがウェイクアップするため、スリープモードによる消費電力の低減効果を十分に発揮させることができないという問題もあった。
【０００６】
本発明は、こうした問題に鑑みてなされたものであり、通信に使用する伝送路を介して所望ノードの選択的なウェイクアップを実現すると共に、スリープモードでの消費電力をより低減する技術を提供することを目的とする。
【課題を解決するための手段】
【０００７】
本発明のネットワーク制御装置は、伝送路と共にネットワークシステムを構成し、機能を制限しない動作モードであるウェイクアップモードと、機能を制限して低消費電力状態にする動作モードであるスリープモードとを選択的に実行する。
【０００８】
また、本発明のネットワーク制御装置は、通信実行部と、低周波減衰部と、ウェイクアップ制御部と、ウェイクアップ信号フィルタ部と、を備える。通信実行部は、ウェイクアップモードの時に、予め設定された伝送速度にて伝送路を介した通信を実行する。低周波減衰部は、伝送路と通信実行部との間に接続され、通信実行部が送受信する信号から伝送速度より低い低周波成分を減衰させる。ウェイクアップ制御部は、低周波減衰部の伝送路側に接続され、低周波減衰部での減衰対象となる低周波数帯を使用して、動作モードをスリープモードからウェイクアップモードに遷移させるウェイクアップ信号を送受信する。ウェイクアップ信号フィルタ部は、伝送路とウェイクアップ制御部との間に接続され、低周波減衰部で減衰される低周波数帯の信号のうち、少なくとも、ウェイクアップ信号の送受信に使用される周波数の信号を通過させる。
【０００９】
ウェイクアップ制御部は、信号検知部と、ウェイクアップ信号受信・処理部と、ウェイクアップ信号送信部と、給電制御部とを含む。信号検知部は、ウェイクアップ信号フィルタ部を介して供給される信号が、予め設定された所定レベル以上変化した場合に、信号を検知したものとして信号検知結果を出力する。ウェイクアップ信号受信・処理部は、ウェイクアップ信号フィルタ部を介して伝送路からウェイクアップ信号を受信すると、要ウェイクアップであることを表す判定結果（ＳＲ）を出力する。ウェイクアップ信号送信部は、通信実行部からの指示に従って、前記ウェイクアップ信号フィルタ部を介して前記伝送路に送信する。給電制御部は、通信実行部からのスリープ指示、信号検知部からの信号検知結果、及びウェイクアップ信号受信・処理部からの判定結果に従って、通信実行部及びウェイクアップ信号送信部への第１給電出力、ウェイクアップ信号受信・処理部への第２給電出力（ＰＳ２）及び信号検知部への第３給電出力（ＰＳ３）を制御する。
【００１０】
給電制御部は、ウェイクアップモードの時に、通信実行部からスリープ指示を受けると、第１給電出力をオフすると共に第３給電出力をオンすることで、動作モードをスリープモードに遷移させる。また、給電制御部は、スリープモードの時に、信号検知部にて信号が検知されると、第２給電出力をオンすることでウェイクアップ信号受信・処理部を起動させる。更に、給電制御部は、起動したウェイクアップ信号受信・処理部により要ウェイクアップであると判断されると、第１給電出力をオンすると共に、第２給電出力及び第３給電出力をオフすることで、動作モードをウェイクアップモードに遷移させる。
【００１１】
このような構成によれば、ウェイクアップ信号の送受信に、低周波減衰部での減衰対象となる低周波数帯を使用しているため、通信実行部の動作に影響を与えることなく伝送路を使用したウェイクアップ信号の送受信を実現することができる。
【００１２】
その結果、本発明のネットワーク制御装置をノードとして採用するネットワークシステムでは、ウェイクアップ信号にウェイクアップ対象を識別する情報を付加することによって、所望のノードだけを選択的にウェイクアップすることができ、スリープモードによる消費電力の低減効果を増大させることができる。
【００１３】
また、本発明のネットワーク制御装置によれば、スリープモード自に、通信実行部だけでなく、ウェイクアップ信号受信・処理部も休止させ、信号検知部でウェイクアップ信号の送受信に使用する周波数帯の信号が検知された場合にだけ、ウェイクアップ信号受信・処理部を起動するため、スリープモードでの消費電力を削減できる。
【００１４】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００１５】
【図１】車載ネットワークシステムの全体構成図である。
【図２】ネットワーク制御装置の構成図である。
【図３】給電動作部の動作を説明するフローチャートである。
【図４】ウェイクアップ信号受信・処理部の構成図である。
【図５】ウェイクアップ信号受信・処理部の動作（ノードＩＤ一致の場合）を示すタイミング図である。
【図６】ウェイクアップ信号受信・処理部の動作（ノードＩＤ不一致の場合）を示すタイミング図である。
【図７】第２実施形態におけるウェイクアップ信号受信・処理部の構成図である。
【図８】復号部の構成を詳細な構成を示す回路図である。
【図９】復号部の動作を示すタイミング図である。
【図１０】第３実施形態におけるウェイクアップ信号受信・処理部の構成図である。
【図１１】サンプリング部の動作を示すタイミング図である。
【図１２】他の実施形態においてウェイクアップ信号の変調に使用する信号についての説明図である。
【発明を実施するための形態】
【００１６】
以下に本発明が適用された実施形態について、図面を用いて説明する。
［１．第１実施形態］
［１．１．構成］
図１に示すように、車載ネットワークシステムは、ネットワーク制御装置１と、中継装置３と、伝送路５とを備える。なお、ネットワークシステムは、中継装置３および伝送路５を介し、イーサネット（登録商標）規格に従って、ネットワーク制御装置１間の高速通信（例えば１００Ｍｂｐｓ）を実現する。
【００１７】
中継装置３は、複数のポートを備え、いずれかのポートから入力された信号を他の全てのポートに分配して出力する周知のものである。各ポートは、それぞれが伝送路５を介して一つのネットワーク制御装置１または中継装置３に接続されている。伝送路５は、ツイストペア線からなる周知のものであり、ここでは、ネットワーク制御装置１から出力される差動信号を伝送する。つまり、伝送路５は中継装置３と共に伝送路を構成する。
【００１８】
ネットワーク制御装置１は、通信ノードとして機能し、伝送路５を介して送受信される情報を適宜利用して各種処理を実行するいわゆる電子制御装置（ＥＣＵ）からなる。
ネットワーク制御装置１は、図２に示すように、電源回路１１と、低周波減衰部１２と、送受信回路１３と、マイクロコンピュータ（マイコン）１４と、ウェイクアップ（ＷＵ）信号フィルタ部１５と、ＷＵ制御部１６とを備える。
【００１９】
電源回路１１は、電源７（ここでは車載バッテリ）から給電を受け、給電電圧をネットワーク制御装置１の動作に適した所定電圧に変換し、ＷＵ制御部１６を介して各部へ供給する。
【００２０】
低周波減衰部１２は、カップリングコンデンサまたはパルストランスからなり、伝送路５上の信号を、低周波成分を減衰させて送受信回路１３に供給する。なお、低周波減衰部１２は、高速通信において誤動作の要因となる直流成分をカットするために設置される周知のものである。
【００２１】
送受信回路１３は、所定の通信プロトコルに従ってマイコン１４から出力される送信データを符号化し、差動信号に変換して低周波減衰部１２を介して伝送路５に出力する。これと共に、伝送路５から低周波減衰部１２を介して受信した差動信号を復号してマイコン１４に出力する。
【００２２】
マイコン１４は、他のネットワーク制御装置１との通信で各種データを共有し、自装置に割り当てられた機能を実現するための各種処理を実行する。なお、マイコン１４が実行する処理には、予め設定されたウェイクアップ送信条件が成立した場合に、ウェイクアップの対象となるネットワーク制御装置１を識別するためのノードＩＤをＷＵ制御部１６に出力する処理、および予め設定されたスリープ条件が成立した場合に、ＷＵ制御部１６にスリープ指示ＣＳを出力する処理が少なくとも含まれる。
【００２３】
ＷＵ信号フィルタ部１５は、低周波減衰部１２で減衰される低周波数帯（例えば１００ｋＨｚ以下）の信号のうち、ＷＵ信号の送受信に使用する周波数（例えば数十ｋＨｚ）の信号を少なくとも通過させるローパスフィルタまたはバンドバスフィルタからなり、伝送路５（低周波減衰部１２の伝送路５側）とＷＵ制御部１６との間に接続される。
【００２４】
ＷＵ制御部１６は、給電制御部２１、信号検知部２２と、ＷＵ信号受信・処理部２３と、ＷＵ信号送信部２４とを備える。
信号検知部２２は、給電制御部２１からの給電出力ＰＳ３を受けて動作し、ＷＵ信号フィルタ部１５の出力を基に信号検知結果ＳＤを出力する。給電制御部２１は、電源回路１１からの給電出力を受けて動作し、信号検知部２２での信号検知結果ＳＤ、およびＷＵ信号受信・処理部２３でのＷＵ要否判定結果ＳＲ、マイコン１４からのスリープ指示ＣＳに従って、各部への給電を制御する。なお、制御の対象となる給電出力ＰＳ１，ＰＳ２，ＰＳ３のうち、給電出力ＰＳ１は、送受信回路１３、マイコン１４、ＷＵ信号送信部２４に供給され、給電出力ＰＳ２は、ＷＵ信号受信・処理部２３に供給され、給電出力ＰＳ３は信号検知部２２に供給される。
【００２５】
ここで、給電制御部２１の動作を、図３に沿って説明する。
給電制御部２１は、ウェイクアップモード中にスリープ指示ＣＳを受けると（Ｓ１００）、給電出力ＰＳ１をオフ、ＰＳ３をオン（Ｓ１１０）にすることで、動作モードをスリープモードに遷移させる（Ｓ１２０）その後、信号検知部２２にて信号が検知されるまで待機する（Ｓ１３０）。
【００２６】
信号が検知されると、給電出力ＰＳ２をオンにすることで、ＷＵ信号受信・処理部２３を起動する（Ｓ１４０）。その後、ＷＵ信号受信・処理部２３にて要ウェイクアップと判断されるか、信号検知部２２にて信号が検知されてから所定時間が経過して時間切れになるまで待機する（Ｓ１５０−ＮＯかつＳ１６０−ＮＯ）。
【００２７】
要ウェイクアップと判断された場合（Ｓ１５０−ＹＥＳ）、ＰＳ１をオン、ＰＳ２をオフ、ＰＳ３をオフ（Ｓ１８０）することでウェイクアップモードに遷移する（ＰＳ１９０）。一方、時間切れと判断された場合（Ｓ１６０−ＹＥＳ）、給電出力ＰＳ２をオフにして（Ｓ１７０）Ｓ１３０に戻る。
【００２８】
図２に戻り、ＷＵ信号送信部２４は、マイコン１４からウェイクアップ対象を示すノードＩＤが供給されると、そのノードＩＤが設定されたＷＵ信号を、ＷＵ信号フィルタ部１５を介して伝送路５に送信する。なお、ＷＵ信号は、信号の先頭を示す論理値１のスタートビット（受信検知用ビット）と、ノードＩＤを二進数で表した複数ビットのデータ領域とで構成される。また、ＷＵ信号は、数ｋｂｐｓ〜数百ｋｂｐｓ程度の伝送速度で伝送される。
【００２９】
信号検知部２２は、ＷＵ信号フィルタ部１５を介して供給される信号、即ち、ＷＵ信号の伝送に使用される周波数帯の信号が、予め設定された所定レベル以上変化した場合に、信号を検知したものとして、給電制御部２１に信号検知結果ＳＤを出力する。
【００３０】
ＷＵ信号受信・処理部２３は、ＷＵ信号フィルタ部１５を介して伝送路５から自ノードＩＤが設定されたウェイクアップ信号を受信すると、給電制御部２１に要ウェイクアップであることを表す判定結果ＳＲを出力する。
【００３１】
ＷＵ信号受信・処理部２３は、図４に示すように、Ａ／Ｄ変換部２５と、サンプリング部２６と、ノードＩＤ照合部２７と、クロック生成部２８とを備える。
クロック生成部２８は、ＷＵ信号と同じビット周期を有するクロックＣＫを生成する。Ａ／Ｄ変換部２５は、周知の差動増幅器からなり、受信した差動信号の信号レベルを増幅した信号ＷＵ＿Ｂを出力する。
【００３２】
サンプリング部２６は、周知のフリップフロップ（ＦＦ）回路からなり、信号ＷＵ＿ＢをクロックＣＫの立ち上がりエッジでサンプリングした信号ＷＵ＿Ｓを出力する。
ノードＩＤ照合部２７は、ノードＩＤレジスタ２７１と、否定排他的論理和（ＮＸＯＲ）回路２７２と、論理積（ＡＮＤ）回路２７３と、ＦＦ回路２７４，２７８と、否定（ＮＯＴ）回路２７５，２７６と、タイミング調整部２７７とを備える。ノードＩＤレジスタ２７１は、自ノードを識別するノードＩＤの先頭に受信検知用ビットの信号レベルを表すビットを加えたものが記憶されており、その記憶された内容を、クロックＣＫの立ち上がりエッジのタイミングで１ビットずつ順次読みだす。ＮＸＯＲ回路２７２は、サンプリング部２６から供給される信号ＷＵ＿Ｓ、およびノードＩＤレジスタ２７１から読み出される信号を入力とし、両信号レベルが一致していればハイレベル、不一致であればローレベルを出力する。ＡＮＤ回路２７３は、ＮＸＯＲ回路２７２の出力およびＦＦ回路の非反転出力Ｑを入力とし、両出力ともハイレベルの時にハイレベルを出力する。ＦＦ回路２７４は、給電出力ＰＳ２による給電が開始された時にプリセットされ、ＡＮＤ回路２７３の出力を、クロックＣＫの立下りエッジのタイミング（クロックＣＫを反転させるＮＯＴ回路２７６が出力する反転クロックの立上がりタイミング）でラッチする。ＮＯＴ回路２７５は、ＦＦ回路２７４の反転出力を反転させて出力する。ＦＦ回路２７８は、ＮＯＴ回路２７５の出力を、タイミング調整部２７７から出力されるタイミングでラッチし、ラッチした信号をＷＵ要否判定結果ＳＲとして出力する。つまり、ＷＵ要否判定結果ＳＲがハイレベルであれば、ウェイクアップが必要であることを表し、ローレベルであればウェイクアップが不要であることを表す。タイミング調整部２７７は、ＦＦ回路２７４がＷＵ対象ノードＩＤの最終ビットをラッチした直後のクロックＣＫの立ち上がりエッジでＦＦ回路２７８が信号をラッチするために必要なパルス信号を供給する。
【００３３】
図５，図６に示すように、ＷＵ信号に示されたノードＩＤと自ノードＩＤの照合結果であるＦＦ回路２７４の出力は、両ＩＤが一致している間は、ハイレベルに保持され、両ＩＤが一ビットでも不一致となると、以後、ローレベルに保持される。このため、ノードＩＤの最終ビットの比較が終了した後の判定タイミングで、ラッチ動作をするＦＦ回路２７８の出力、即ちＷＵ要否判定結果ＳＲは、両ＩＤが一致すればハイレベル（図５参照）、一致しなければローレベル（図６参照）となる。
【００３４】
［１．２．動作］
このように構成されたネットワーク制御装置１では、動作モードがスリープモードである場合、給電出力ＰＳ１，ＰＳ２で動作する送受信回路１３，マイコン１４、ＷＵ信号受信・処理部２３、ＷＵ信号送信部２４が休止し、給電出力ＰＳ３で動作する信号検知部２２のみが動作するため、低消費電力な状態となる。
【００３５】
信号検知部２２がＷＵ信号の送受信に使用する周波数帯の信号を検知すると、給電制御部２１は、給電出力ＰＳ２をオンすることによって、ＷＵ信号受信・処理部２３を起動する。その後、給電制御部２１は、ＷＵ信号受信・処理部２３から所定時間内にウェイクアップが必要であることを示すＷＵ要否判定結果ＳＲが得られると、給電出力ＰＳ１をオン、給電出力ＰＳ２をオフ、給電出力ＰＳ３をオフすることでウェイクアップモードに遷移する。これにより、送受信回路１３、マイコン１４，ＷＵ信号送信部２４が動作し、ＷＵ信号受信・処理部２３、信号検知部２２は休止した状態となり、伝送路５を介した通常の通信が可能な状態となる。
【００３６】
一方、信号検知部２２が信号を検知した後、ウェイクアップが必要であることを示すＷＵ要否判定結果ＳＲが取得されることなく、所定時間が経過すると、給電出力ＰＳ２をオフし、ＷＵ信号受信・処理部２３を休止した状態にして、スリープモードを継続する。
【００３７】
［１．３．効果］
以上説明したように、ネットワーク制御装置１では、低周波減衰部１２にて減衰される周波数帯の信号を用いてＷＵ信号を送受信するため、送受信回路１３およびマイコン１４が実行する通常の高速通信を妨害することなく、ネットワーク制御装置１を個別にウェイクアップすることができる。
【００３８】
スリープモードの時に、送受信回路１３，マイコン１４だけでなく、ＷＵ信号受信・処理部２３も休止させ、信号検知部２２でＷＵ信号の送受信に使用する周波数帯の信号が検知された場合に所定時間だけＷＵ信号受信・処理部２３を起動するため、スリープモードでの消費電力を一層削減することができる。
【００３９】
［２．第２実施形態］
第２実施形態は、基本的な構成は第１実施形態と同様であるため、共通する構成については説明を省略し、相違点を中心に説明する。
【００４０】
前述した第１実施形態では、ＷＵ信号の伝送符号として、１ビットの間同じ信号レベルが継続するＮＲＺ符号を用いている。これに対し、第２実施形態では、ビットの境界および１ビットの途中で信号レベルが変化するパルス幅変調（ＰＷＭ）符号を用いる点で第１実施形態とは相違する。なお、ＰＷＭ符号は、図９に示すように、ハイレベルの期間が短い方がビット０、長い方がビット１に対応するものとする。本実施形態では、Ａ／Ｄ変換部２５からはＰＷＭ符号に符号化された信号が出力される。本実施形態では、この信号をＷＵ＿Ｐと表記する。
【００４１】
［２．１．構成］
本実施形態のＷＵ信号受信・処理部２３ａは、図７に示すように、Ａ／Ｄ変換部２５とサンプリング部２６の間に復号部２９が挿入されている以外は、第１実施形態のＷＵ信号受信・処理部２３と同様に構成されている。
【００４２】
復号部２９は、図８に示すように、コンデンサ２９１と、定電流源２９２と、スイッチ２９３と、分圧回路２９４と、コンパレータ２９５とを備える。
コンデンサ２９１は、一端が接地され他端（以下「非接地端」ともいう）がスイッチ２９３に接続されている。定電流源２９２は、コンデンサ２９１の充電に使用する一定電流を供給する。スイッチ２９３は、Ａ／Ｄ変換部２５が出力信号ＷＵ＿Ｐの信号レベルに従って、信号ＷＵ＿Ｐがハイレベルの時には、コンデンサ２９１の非接地端を定電流源２９２に接続し、信号ＷＵ＿Ｐがローレベルの時には、コンデンサ２９１の非接地端を接地レベルに接続する。分圧回路２９４は、電源電圧を分圧する一対の抵抗からなり基準電圧Ｖref を発生させる。コンパレータ２９５は、反転入力端子に基準電圧Ｖref が印加され、非反転入力端子にコンデンサ２９１の非接地端の電圧（以下「充電電圧」という）Ｖｃが印加され、充電電圧Ｖｃが基準電圧Ｖref より小さければローレベル、基準電圧Ｖref より大きければハイレベルとなる信号ＷＵ＿Ｂを出力する。なお、定電流源２９２が供給する電流の大きさ、コンデンサ２９１の容量、基準電圧Ｖref の大きさは、ビット０を表すＰＷＭ符号のハイレベル期間より長く、ビット１を表すＰＷＭ符号のハイレベル期間より短くなるように設定された所定期間以上になると、充電電圧Ｖｃが基準電圧Ｖref を超えるような大きさとなるように設定されている。
【００４３】
［２．２．動作］
このように構成された復号部２９では、図９に示すように、充電電圧Ｖｃは、信号ＷＵ＿Ｐがローレベルの時に初期電圧である０Ｖにリセットされ、信号ＷＵ＿Ｐがハイレベルである間一定の割合で増大する。
【００４４】
そして、ビット０を表すＰＷＭ符号の受信時には、充電電圧Ｖｃが基準電圧Ｖref を超えることがないため、復号部２９が出力する信号ＷＵ＿Ｂはローレベルとなる。一方、ビット１を表すＰＷＭ符号の受信時には、充電電圧Ｖｃが基準電圧Ｖref を超えるため、信号ＷＵ＿Ｂはハイレベルとなる。これにより、信号ＷＵ＿Ｂは、ＰＷＭ符号を復号したＮＲＺ符号の信号となる。
【００４５】
信号ＷＵ＿Ｂをサンプリングするサンプリング部２６以降の動作は、第１実施形態の場合と同様である。
［２．３．効果］
以上詳述した第２実施形態によれば、前述した第１実施形態と同様の効果を得ることができる。
【００４６】
［３．第３実施形態］
第３実施形態は、基本的な構成は第１実施形態と同様であるため、共通する構成については説明を省略し、相違点を中心に説明する。
【００４７】
前述した第１実施形態では、ＷＵ信号の伝送符号として、１ビットの間同じ信号レベルが継続するＮＲＺ符号を用いている。これに対し、第３実施形態では、第２実施形態と同様に、ＰＷＭ符号を用いる点で第１実施形態とは相違する。但し、ビット０を表すＰＷＭ符号のデューティ比は０．５より小さく（例えば０．３程度）、ビット１を表すＰＷＭ符号のデューティ比は０．５より大きく（例えば０．７程度）に設定されている。
【００４８】
［３．１．構成］
本実施形態のＷＵ信号受信・処理部２３ｂは、図１０に示すように、クロック生成部２８ｂが伝送路５からの受信信号も利用してクロックＣＫを生成すること以外は、第１実施形態のＷＵ信号受信・処理部２３と同様に構成されている。
【００４９】
クロック生成部２８ｂは、図１１に示すように、受信信号に基づいて、信号ＷＵ＿Ｐに同期したクロックＣＫを生成する。
これにより、サンプリング部２６では、Ａ／Ｄ変換部２５から出力される信号ＷＵ＿Ｐを、各ビットの中心でサンプリングすることで、復号とサンプリングを同時に行うことができ、信号ＷＵ＿Ｐから信号ＷＵ＿Ｓを直接生成することができる。
【００５０】
［３．２．効果］
以上詳述した第３実施形態によれば、前述した第１実施形態と同様の効果を得ることができる。
【００５１】
［４．他の実施形態］
以上、本発明の実施形態について説明したが、本発明は、上記実施形態に限定されることなく、種々の形態を採り得る。
【００５２】
（１）上記実施形態では、ＷＵ信号の伝送にＮＲＺ符号またはＰＷＭ符号を用いているが、これに限定されるものではない。例えば、図１２に示すように、互いに異なる２種類の周波数による周波数偏移変調（ＦＳＫ）を用いてもよい。この場合、Ａ／Ｄ変換部２５はＦＳＫ信号を復調する復調器によって構成すればよい。
【００５３】
（２）上記実施形態では、ウェイクアップ制御部１６は、ＷＵ信号フィルタ部１５を介して伝送路５上の信号を取り込むように構成されているが、ネットワーク制御装置１が通信相手と１対１で接続されている場合は、ＷＵ信号フィルタ部１５を省略してもよい。
【００５４】
（３）上記実施形態における一つの構成要素が有する機能を複数の構成要素に分散させたり、複数の構成要素が有する機能を一つの構成要素に統合させたりしてもよい。また、上記実施形態の構成の少なくとも一部を、同様の機能を有する公知の構成に置き換えてもよい。また、上記実施形態の構成の一部を省略してもよい。また、上記実施形態の構成の少なくとも一部を、他の上記実施形態の構成に対して付加または置換等してもよい。なお、特許請求の範囲に記載した文言のみによって特定される技術思想に含まれるあらゆる態様が本発明の実施形態である。
【００５５】
（４）本発明は上述したネットワーク制御装置、当該ネットワーク制御装置を構成要素とするシステムの他、ウェイクアップ信号の送信方法など、種々の形態で実現することもできる。
【符号の説明】
【００５６】
１…ネットワーク制御装置  ３…中継装置  ５…伝送路  ７…電源  １１…電源回路  １２…低周波減衰部  １３…送受信回路  １４…マイクロコンピュータ  １５…ウェイクアップ信号フィルタ部  １６…ウェイクアップ制御部  ２１…給電制御部  ２２…信号検知部  ２３，２３ａ，２３ｂ…ウェイクアップ信号受信・処理部  ２４…ウェイクアップ信号送信部  ２５…Ａ／Ｄ変換部  ２６…サンプリング部  ２７…ノードＩＤ照合部  ２８，２８ｂ…クロック生成部  ２９…復号部  ２７１…ノードＩＤレジスタ  ２７２…否定排他的論理和回路  ２７３…論理積回路  ２７４，２７８…フリップフロップ回路  ２７５，２７６…否定回路  ２７７…タイミング調整部  ２９１…コンデンサ  ２９２…定電流源  ２９３…スイッチ  ２９４…分圧回路  ２９５…コンパレータ
【図１】
2019106724.tif 000003
【図２】
2019106724.tif 000004
【図３】
2019106724.tif 000005
【図４】
2019106724.tif 000006
【図５】
2019106724.tif 000007
【図６】
2019106724.tif 000008
【図７】
2019106724.tif 000009
【図８】
2019106724.tif 000010
【図９】
2019106724.tif 000011
【図１０】
2019106724.tif 000012
【図１１】
2019106724.tif 000013
【図１２】
2019106724.tif 000014